(57)【特許請求の範囲】
【請求項１】
底壁と、前記底壁の周縁から起立するとともに上部開口を形成する周壁と、を有する花器であって、
前記底壁の上面には、吸水スポンジの下面を支持する支持部が設けられており、
前記底壁の上面から突出するとともに前記吸水スポンジの側面に当接することで前記吸水スポンジの移動を規制する規制壁部を有し、
前記規制壁部、前記周壁のうち前記規制壁部に対して前記支持部とは反対側に位置する部分、及び前記底壁によって注水部が区画されており、
前記底壁の上面には、前記注水部から前記支持部にわたって延びる溝部が設けられていて、
前記底壁は、互いに平行に延びる一対の第１縁と、互いに平行に延びる一対の第２縁と、を有する平面視長方形状であり、
前記周壁は、前記一対の第１縁から起立する一対の第１側壁と、前記一対の第２縁から起立する一対の第２側壁と、を有しており、
前記第１縁の延びる方向を第１方向とし、前記第２縁の延びる方向を第２方向とするとき、
前記支持部は、前記第１方向に互いに間隔をおいて複数設けられていて、
前記規制壁部は、前記第１方向に互いに間隔をおいて複数設けられているとともに前記第２方向における前記吸水スポンジの移動を規制するものであり、
前記溝部は、前記第１方向において隣り合う前記支持部同士の間及び前記規制壁部同士の間に設けられている、
花器。
【請求項２】
複数の前記溝部が、前記第１方向に互いに間隔をおいて設けられている、
請求項１に記載の花器。
【請求項３】
前記規制壁部及び前記注水部が、前記第２方向において前記支持部の両側に設けられており、
前記溝部は、前記第２方向における一側の前記注水部から他側の前記注水部にわたって延びている、
請求項１または請求項２に記載の花器。
【請求項４】
少なくとも一方の前記第２側壁が、前記第１方向における前記吸水スポンジの移動を規制するものである、
請求項１〜請求項３のいずれか一項に記載の花器。
【請求項５】
前記規制壁部を第１規制壁部とするとき、
一対の前記第２側壁の間において前記底壁から突出するとともに前記吸水スポンジの側面に当接することで前記第１方向における前記吸水スポンジの移動を規制する第２規制壁部を有する、
請求項１〜請求項４のいずれか一項に記載の花器。
【発明の詳細な説明】
【技術分野】
【０００１】
本発明は、花器に関する。
【背景技術】
【０００２】
従来、切花が挿し込まれる吸水スポンジを収容する花器がある（例えば特許文献１参照）。特許文献１に記載の花器の底面には、上方に向かって突出するとともに先端の尖った複数の刺針が設けられている。吸水スポンジの下面に刺針が刺し込まれることにより、吸水スポンジが花器に保持される。
【先行技術文献】
【特許文献】
【０００３】
【特許文献１】実開昭５８−９１９８０号公報
【発明の概要】
【発明が解決しようとする課題】
【０００４】
ところで、こうした花器において、吸水スポンジの下面を花器の底面に当接させて用いると、花器の周壁と吸水スポンジの側面との間に注がれた水が、吸水スポンジの側面からその内部に吸収される。そのため、吸水スポンジの中央部に近い部分ほど水が行き渡りにくいといった問題がある。こうした問題は、吸水スポンジの体格が大きくなるほど一層顕著なものとなる。
【０００５】
本発明の目的は、吸水スポンジに対して水を行き渡らせることのできる花器を提供することにある。
【課題を解決するための手段】
【０００６】
上記目的を達成するための花器は、底壁と、前記底壁の周縁から起立するとともに上部開口を形成する周壁と、を有するものであって、前記底壁の上面には、吸水スポンジの下面を支持する支持部が設けられており、前記底壁の上面から突出するとともに前記吸水スポンジの側面に当接することで前記吸水スポンジの移動を規制する規制壁部を有し、前記規制壁部、前記周壁のうち前記規制壁部に対して前記支持部とは反対側に位置する部分、及び前記底壁によって注水部が区画されており、前記底壁の上面には、前記注水部から前記支持部にわたって延びる溝部が設けられている。
【０００７】
同構成によれば、規制壁部によって、吸水スポンジの移動が規制される。これにより、吸水スポンジを安定して支持できる。
また、上記構成によれば、注水部に注がれた水は、溝部を通じて支持部へ案内されるようになる。これにより、吸水スポンジには、その下面を通じて水が吸収されるようになる。したがって、吸水スポンジに対して水を行き渡らせることができる。
【０００８】
上記花器において、前記底壁は、互いに平行に延びる一対の第１縁と、互いに平行に延びる一対の第２縁と、を有する平面視長方形状であり、前記周壁は、前記一対の第１縁から起立する一対の第１側壁と、前記一対の第２縁から起立する一対の第２側壁と、を有しており、前記第１縁の延びる方向を第１方向とし、前記第２縁の延びる方向を第２方向とするとき、前記規制壁部は、前記第２方向における前記吸水スポンジの移動を規制するものであることが好ましい。
【０００９】
同構成によれば、規制壁部によって、第２方向における吸水スポンジの移動が規制される。これにより、吸水スポンジを安定して支持できる。
上記花器において、複数の前記溝部が、前記第１方向に互いに間隔をおいて設けられていることが好ましい。
【００１０】
同構成によれば、注水部に注がれた水は、第１方向に互いに間隔をおいて設けられた複数の溝部を通じて、支持部の複数の部位に案内されるようになる。これにより、吸水スポンジの下面のより広い範囲を通じて水が吸収されるようになる。したがって、吸水スポンジに対して効果的に水を行き渡らせることができる。
【００１１】
上記花器において、前記規制壁部及び前記注水部が、前記第２方向において前記支持部の両側に設けられており、前記溝部は、前記第２方向における一側の前記注水部から他側の前記注水部にわたって延びていることが好ましい。
【００１２】
同構成によれば、支持部の両側に設けられた注水部のうち一側から注がれた水は、溝部を通じて他側へと案内される。したがって、花器の第２方向の一側から水を注ぐだけで、第２方向において支持部の下面全体を通じて水が吸収されるようになる。したがって、吸水スポンジに対して効果的に水を行き渡らせることができる。
【００１３】
上記花器において、少なくとも一方の前記第２側壁が、前記第１方向における前記吸水スポンジの移動を規制するものであることが好ましい。
同構成によれば、吸水スポンジを、第１方向において花器の第２側壁に近接させて配置することができる。このため、複数の花器を第１方向に並列させた場合に、各花器により支持される吸水スポンジ同士の距離を小さくできる。これにより、第１方向において隣り合う花器同士の間において、各吸水スポンジに挿し込まれた切花同士の間に隙間が生じることを抑制でき、複数の花器に生けられた花全体の見栄えが良くなる。
【００１４】
上記花器において、前記規制壁部を第１規制壁部とするとき、一対の前記第２側壁の間において前記底壁から突出するとともに前記吸水スポンジの側面に当接することで前記第１方向における前記吸水スポンジの移動を規制する第２規制壁部を有することが好ましい。
【００１５】
同構成によれば、第２規制壁部によって、花器の内部が第１方向において仕切られる。これにより、１つの花器によって複数の吸水スポンジを支持することができる。
【発明の効果】
【００１６】
本発明によれば、吸水スポンジに対して水を行き渡らせることができる。
【図面の簡単な説明】
【００１７】
【図１】花器の一実施形態を示す斜視図。
【図２】（ａ）は、同実施形態の花器の平面図であり、（ｂ）は、（ａ）の２ｂ−２ｂ線に沿った断面図。
【図３】同実施形態の花器に水を注いだ際の水の流れを示す、短辺方向に沿った断面図。
【図４】同実施形態の花器を長辺方向に並列させた場合における、同方向に沿った断面図。
【発明を実施するための形態】
【００１８】
以下、図１〜図４を参照して、一実施形態について説明する。
図１及び図２に示すように、花器１０は、平面視長方形状の底壁１１と、底壁１１の周縁から起立するとともに上部開口１０ａを形成する周壁１２とを有している。
【００１９】
図２（ａ）に示すように、周壁１２は、底壁１１の互いに平行に延びる一対の長縁１１Ａから起立する一対の第１側壁１２Ａと、底壁１１の互いに平行に延びる一対の短縁１１Ｂから起立する一対の第２側壁１２Ｂとを有している。以降において、長縁１１Ａの延びる方向を長辺方向Ａとし、短縁１１Ｂの延びる方向を短辺方向Ｂとして説明する。長縁１１Ａ及び短縁１１Ｂが本発明に係る第１縁及び第２縁に相当する。また、長辺方向Ａ及び短辺方向Ｂが、本発明に係る第１方向及び第２方向に相当する。
【００２０】
図２（ｂ）に示すように、底壁１１の上面には、直方体状の吸水スポンジ２０の下面２１を支持する平面視長方形状の複数の支持部１３が設けられている。本実施形態では、長辺方向Ａに間隔をおいて７つの支持部１３が設けられている。７つの支持部１３のうち、長辺方向Ａの中央に位置する中央支持部１３Ｃの長辺方向Ａの長さは、他の支持部１３の長さの約２倍である。
【００２１】
図１及び図２に示すように、短辺方向Ｂにおいて各支持部１３の両側には、底壁１１の上面から突出する複数の第１規制壁部１６Ａが設けられている。
各第１規制壁部１６Ａは、長辺方向Ａにおいて支持部１３の全体にわたって延びている。すなわち、片側７個の第１規制壁部１６Ａが、長辺方向Ａに互いに間隔をおいて設けられている。
【００２２】
各第１規制壁部１６Ａ、周壁１２のうち第１規制壁部１６Ａに対して支持部１３とは反対側に位置する部分、及び底壁１１によって注水部１４が区画されている。本実施形態において、注水部１４は、長辺方向Ａにおいて底壁１１の全体にわたって設けられている。また、注水部１４は、短辺方向Ｂにおいて支持部１３の両側に設けられている。
【００２３】
中央支持部１３Ｃには、その上面から突出する第２規制壁部１６Ｂが設けられている。第２規制壁部１６Ｂは、長辺方向Ａにおいて中央支持部１３Ｃの中央に位置するとともに短辺方向Ｂに沿って延びている。
【００２４】
図２に示すように、花器１０の内部には、複数の支持部１３、第２規制壁部１６Ｂ、一対の第２側壁１２Ｂ、及び複数の第１規制壁部１６Ａによって、２つの吸水スポンジ２０を収容可能な２つの空間が区画されている。
【００２５】
上記空間内に吸水スポンジ２０が収容されている状態において、第１規制壁部１６Ａが吸水スポンジ２０の側面２２Ａに当接することで、短辺方向Ｂにおける吸水スポンジ２０の移動が規制される。
【００２６】
また、第２側壁１２Ｂ及び第２規制壁部１６Ｂが吸水スポンジ２０の側面２２Ｂに当接することで、長辺方向Ａにおける吸水スポンジ２０の移動が規制される。
底壁１１の上面には、各注水部１４から支持部１３にわたって延びる複数の溝部１５が設けられている。溝部１５は、長辺方向Ａにおいて隣り合う支持部１３同士の間に設けられており、短辺方向Ｂに沿って延在している。したがって、本実施形態においては、６つの溝部１５が長辺方向Ａに間隔をおいて設けられている。各溝部１５は、短辺方向Ｂにおいて、底壁１１の全体にわたって延びている。すなわち、溝部１５は、短辺方向Ｂにおける一側の注水部１４から他側の注水部１４にわたって延びている。
【００２７】
次に、本実施形態の作用について説明する。
図３に示すように、花器１０内に載置された吸水スポンジ２０に差し込まれた切花３０に対して水やりを行う際、注水部１４に注がれた水は、溝部１５を通じて支持部１３へ案内されるようになる。これにより、吸水スポンジ２０には、その下面２１を通じて水が吸収されるようになる。また、吸水スポンジ２０には、隣り合う第１規制壁部１６Ａ同士の隙間から、その側面２２Ａを通じて水が吸収されるようになる（以上、作用１）。
【００２８】
また、図４に示すように、吸水スポンジ２０を、長辺方向Ａにおいて花器１０の第２側壁１２Ｂに近接させて配置することができる。このため、複数の花器１０を長辺方向Ａに並列させた場合に、各花器１０により支持される吸水スポンジ２０同士の距離を小さくできる（以上、作用２）。
【００２９】
次に、本実施形態の効果について説明する。
（１）花器１０は、底壁１１と、底壁１１の周縁から起立するとともに上部開口１０ａを形成する周壁１２とを有している。底壁１１の上面には、吸水スポンジ２０の下面２１を支持する支持部１３が設けられており、底壁１１の上面から突出するとともに吸水スポンジ２０の側面２２Ａに当接することで吸水スポンジ２０の移動を規制する第１規制壁部１６Ａを有している。第１規制壁部１６Ａ、周壁１２のうち第１規制壁部１６Ａに対して支持部１３とは反対側に位置する部分、及び底壁１１によって注水部１４が区画されている。底壁１１の上面には、注水部１４から支持部１３にわたって延びる溝部１５が設けられている。
【００３０】
こうした構成によれば、第１規制壁部１６Ａによって、吸水スポンジ２０の移動が規制されることで、吸水スポンジ２０を安定して支持できるとともに、上述した作用１を奏することにより、吸水スポンジ２０に対して水を行き渡らせることができる。
【００３１】
（２）底壁１１は、互いに平行に延びる一対の長縁１１Ａと、互いに平行に延びる一対の短縁１１Ｂと、を有する平面視長方形状である。周壁１２は、一対の長縁１１Ａから起立する一対の第１側壁１２Ａと、一対の短縁１１Ｂから起立する一対の第２側壁１２Ｂとを有している。第１規制壁部１６Ａは、短辺方向Ｂにおける吸水スポンジ２０の移動を規制するものである。
【００３２】
こうした構成によれば、第１規制壁部１６Ａによって、短辺方向Ｂにおける吸水スポンジ２０の移動が規制される。これにより、吸水スポンジ２０を安定して支持できる。
（３）６つの溝部１５が、長辺方向Ａに互いに間隔をおいて設けられている。
【００３３】
こうした構成によれば、注水部１４に注がれた水は、長辺方向Ａに互いに間隔をおいて設けられた複数の溝部１５を通じて、支持部１３の複数の部位に案内されるようになる。これにより、吸水スポンジ２０の下面２１のより広い範囲を通じて水が吸収されるようになる。したがって、吸水スポンジ２０に対して効果的に水を行き渡らせることができる。
【００３４】
（４）第１規制壁部１６Ａ及び注水部１４が、短辺方向Ｂにおいて支持部１３の両側に設けられている。溝部１５は、短辺方向Ｂにおける一側の注水部１４から他側の注水部１４にわたって延びている。
【００３５】
こうした構成によれば、支持部１３の両側に設けられた注水部１４のうち一側から注がれた水は、溝部１５を通じて他側へと案内される。したがって、花器１０の短辺方向Ｂの一側から水を注ぐだけで、短辺方向Ｂにおいて支持部の下面２１全体を通じて水が吸収されるようになる。したがって、吸水スポンジ２０に対して効果的に水を行き渡らせることができる。
【００３６】
（５）第２側壁１２Ｂは、長辺方向Ａにおける吸水スポンジ２０の移動を規制するものである。
こうした構成によれば、上述した作用２を奏することにより、長辺方向Ａにおいて隣り合う花器１０同士の間において、各吸水スポンジ２０に挿し込まれた切花３０同士の間に隙間が生じることを抑制でき、複数の花器１０に生けられた花全体の見栄えが良くなる。
【００３７】
（６）一対の第２側壁１２Ｂの間において底壁１１の支持部１３から突出するとともに吸水スポンジ２０の側面２２Ｂに当接することで長辺方向Ａにおける吸水スポンジ２０の移動を規制する第２規制壁部１６Ｂを有している。
【００３８】
こうした構成によれば、第２規制壁部１６Ｂによって、花器１０の内部が長辺方向Ａにおいて仕切られる。これにより、１つの花器１０によって複数の吸水スポンジ２０を支持することができる。
【００３９】
＜変更例＞
上記実施形態は、例えば以下のように変更して実施することもできる。本実施形態及び以下の変更例は、技術的に矛盾しない範囲で互いに組み合わせて実施することができる。
【００４０】
・複数の第２規制壁部１６Ｂが長辺方向Ａに互いに間隔をおいて設けられている構成であってもよい。この場合、互いに隣り合う一対の第２規制壁部１６Ｂの双方が吸水スポンジ２０の側面２２Ｂに当接することで、長辺方向Ａにおける吸水スポンジ２０の移動が規制される。
【００４１】
・第２規制壁部１６Ｂを省略することもできる。この場合、一対の第２側壁１２Ｂの双方が吸水スポンジ２０の側面２２Ｂに当接することで、長辺方向Ａにおける吸水スポンジ２０の移動が規制される。
【００４２】
・長辺方向Ａにおいて支持部１３の両側に規制壁部を設け、同規制壁部、周壁１２のうち同規制壁部に対して支持部１３とは反対側に位置する部分、及び底壁１１によって注水部を区画してもよい。
【００４３】
・短辺方向Ｂにおける一側の第１規制壁部１６Ａを省略することにより、同一側の注水部１４を省略してもよい。
・花器には、少なくとも１つの溝部１５が設けられていればよく、その数は適宜変更することができる。
【００４４】
・上記実施形態において、溝部１５が短辺方向Ｂに沿って延びている構成を例示したが、溝部は短辺方向Ｂに交差する方向に沿って延びている構成であってもよい。
・底壁１１を、平面視正方形状とすることもできる。
【００４５】
・底壁は、平面視長方形状（正方形状を含む）に限られず、例えば、平面視円形状であってもよい。
【符号の説明】
【００４６】
Ａ…長辺方向（第１方向）
Ｂ…短辺方向（第２方向）
１０…花器
１０ａ…上部開口
１１…底壁
１１Ａ…長縁（第１縁）
１１Ｂ…短縁（第２縁）
１２…周壁
１２Ａ…第１側壁
１２Ｂ…第２側壁
１３…支持部
１３Ｃ…中央支持部
１４…注水部
１５…溝部
１６Ａ…第１規制壁部
１６Ｂ…第２規制壁部
２０…吸水スポンジ
２１…下面
２２Ａ，２２Ｂ…側面
３０…切花
【図１】
0006941387.tif 000002
【図２】
0006941387.tif 000003
【図３】
0006941387.tif 000004
【図４】
0006941387.tif 000005